(57)【要約】【課題】携帯電話や携帯端末等の携帯機器を入力機器とし、各所に散在する自動販売機を始め、各種用途のローカル設置機器を、あたかも利用者の出力機器のように利用して、欲しい情報をローカル設置機器に配信できる情報配信システムを提供する。【解決手段】ディスプレイ２１、スピーカー、カメラ２２、マイクロフォン２３を備えた自動販売機１０等のローカル設置機器と、ローカル設置機器と公衆回線網、特定回線網、あるいは無線通信網等の情報通信網で信号の送受信を行うデータサービスセンター５０と、携帯電話機や携帯情報端末機等の端末機と、端末機のインターネット接続機能あるいは通話機能を利用して情報配信依頼された情報を検索してデータサービスセンター５０から、自動販売機１０等のローカル設置機器のディスプレイ２１、スピーカーに対して配信する手段と、提供した情報に対する費用を課金する課金手段とを備えた情報配信システム。【選択図】　　　　　図１
2004145439.tif 000002
【特許請求の範囲】
【請求項１】
少なくともディスプレイ、スピーカーおよびカメラを備えたローカル設置機器と、
前記ローカル設置機器と公衆回線網、特定回線網、あるいは無線通信網等の情報通信網で信号の送受信を行うデータセンターと、
利用者が携帯する携帯電話機や携帯情報端末機等の端末機と、
前記端末機のインターネット接続機能あるいは前記携帯電話機の通話機能を利用して情報配信依頼された情報を検索して前記データセンターから、前記ローカル設置機器のディスプレイ、スピーカーに対して配信する手段と、
提供した情報に対する費用を課金する課金手段とを備えた情報配信システム。
【請求項２】
前記情報通信網は、光ファイバ通信網である請求項１記載の情報配信システム。
【請求項３】
前記課金手段は、前記端末機の使用料金、あるいは、予め契約した金融機関からの自動引き落とし、あるいは、前記ローカル設置機器の料金投入口に投入した紙幣、貨幣からの差し引き、あるいは、プリペイドカードからの引き落としとして課金するものである請求項１または２に記載の情報配信システム。
【請求項４】
前記データセンターに、前記ローカル設置機器の前記カメラにより撮影された画像情報に基づいて、利用者の本人認識を行う手段を備えた請求項１から３のいずれかの項に記載の情報配信システム。
【請求項５】
前記ローカル設置機器にマイクロフォンを備え、前記データセンターに、前記マイクロフォンにより収集された音声信号に基づいて、利用者の本人認識、指令の識別を行う手段を設けた請求項１から４のいずれかの項に記載の情報配信システム。
【請求項６】
ローカル設置機器に付設され、通信機能と、ＣＣＤカメラおよびマイクロフォンからの画像および音声をディジタル化して伝送すると共に、前記通信機能を介して配信された画像情報、音声情報を出力するディスプレイとスピーカーとを備えたことを特徴とする請求項１から５のいずれかの項に記載の情報配信システムに使用するコンピュータ。
【発明の詳細な説明】
【０００１】
【発明の属する技術分野】
本発明は、個人が携帯する携帯電話や携帯端末と、各所に設置される自動販売機やインフォメーションパネルあるいは証明用写真自動撮影機等のローカル機器等を用いて各種の情報を配信する情報配信システムに関する。
【０００２】
【従来の技術】
自動販売機は、市街地、郊外を問わずあらゆる場所に設置されている。特に、繁華街などでは設置される密度が高く、郊外でも、人が集まるバス停等の要所要所に設置されることが多い。この自動販売機は、２４時間、一年中稼働しており、これを何らかの媒体として利用することが従来より提案されている。
【０００３】
例えば、特許文献１には、各所に設置される自動販売機にディスプレイやスピーカーを設けて広告その他の告知媒体として利用するようにした自動販売機が提案されている。
【０００４】
また、特許文献２には、自動販売機のキャビネットの外扉にディスプレイを設置し、自動販売機を設置した周辺の名所や観光案内などの情報サービスを提供するようにした自動販売機も提案されている。
【０００５】
さらに、特許文献３には、利用者が貨幣を投入し、販売可能ランプが点灯した情報サービスに対応するサービス選択ボタンを押すと、その信号が制御機構に送られ、選択された情報サービスに対応した情報をディスプレイやスピーカーに表示するようにした自動販売機が開示されており、前記情報は、電話回線を介してセンターから受信できる機能を持たせている。
【０００６】
特許文献４には、携帯電話と自動販売機と遠隔通信手段とを接続し、遠隔支払い取引を行うシステムが開示されている。
【０００７】
特許文献５には、携帯電話等の通信機器および自動販売機を利用して、手軽に小口の支払い等に対する決済処理を行うことができる現金決済システムが開示されている。
【０００８】
特許文献６には、自動販売機管理センターに設けたサーバーに自動販売機利用者の携帯電話よりネットワークを介して送られた自動販売機所在位置問い合わせに対し、予め作成され自動販売機管理センターに置かれた自動販売機所在位置表示地図より利用者位置近傍の地図を検出してサーバーよりネットワークを介して利用者の携帯電話のディスプレイ上に表示させる方法が開示されている。
【０００９】
特許文献７には、携帯電話からサーバーに対して自動販売機の商品購入の許可を求めるバーコードを要求し、これに対してサーバーでは自動販売機の識別情報に対応したバーコードを携帯電話に返信し、このバーコードを自動販売機に設けたバーコードリーダーに読み取らせることによって自動販売機は商品購入を許可する装置が開示されている。
【００１０】
本願発明者らが先に出願した特願２００１−３５３４５５号明細書には、自動販売機にディスプレイ装置、通信装置および広告や商品説明の他に非常時の際の報知内容を記録した記録媒体が組み込まれ、通信装置からの非常信号を受信することで、ディスプレイ装置に非常の種類に応じた報知内容を優先的に表示するようにしたインフォメーションネットワークシステムが開示されている。
【００１１】
【特許文献１】
特許第２９６５２４８号公報（第４頁左欄、図１４）
【特許文献２】
特開平９−２７００６１号公報（第２−３頁、図１）
【特許文献３】
特開平１０−２１４５９号公報（第２頁右欄−第３頁、図１）
【特許文献４】
特開２００１−２８３１２４号公報
【特許文献５】
特開２００２−９９８６１号公報
【特許文献６】
特開２００２−１３３５０４号公報
【特許文献７】
特開２００２−１４０７５６号公報
【００１２】
【発明が解決しようとする課題】
上述した従来技術では、自動販売機にディスプレイやスピーカーを設けたり、携帯電話による本人認識を行って所定の方法により代金の決済を行うものであるが、いずれも、ディスプレイに表示される情報は一方通行の情報配信であり、利用者は情報を受けるだけのものであった。
【００１３】
そこで本発明は、携帯電話や携帯端末等の携帯機器を入力機器とし、各所に散在する自動販売機を始め、各種用途のローカル設置機器を、あたかも利用者の出力機器のように利用して、欲しい情報をローカル設置機器に配信することのできる情報配信システムを提供することを目的とする。
【００１４】
【課題を解決するための手段】
前記課題を解決するため、本発明は、少なくともディスプレイ、スピーカーおよびカメラを備えたローカル設置機器と、前記ローカル設置機器と公衆回線網、特定回線網、あるいは無線通信網等の情報通信網で信号の送受信を行うデータセンターと、利用者が携帯する携帯電話機や携帯情報端末機等の端末機と、前記端末機のインターネット接続機能あるいは前記携帯電話機の通話機能を利用して情報配信依頼された情報を検索して前記データセンターから、前記ローカル設置機器のディスプレイ、スピーカーに対して配信する手段と、提供した情報に対する費用を課金する課金手段とを備えた情報配信システムである。
【００１５】
本発明においては、自動販売機等のローカル設置機器に、通信機能を有するマルチメディア対応のパソコンを付設したもので、情報の入力手段としては、キーボードではなく、携帯電話機等の端末機や、カメラ、好ましくはマイクロフォンをも備える。
【００１６】
ローカル設置機器には、ＩＰ（インターネットプロトコル）コードを持たせ、音声と映像の提供以外に、光ファイバ通信を使ってデータセンターへ連動し、様々なサービスを画面に出す。これにより、利用者が欲しい情報をデータセンターを通じて出力することができる。また、ディスプレイとカメラ、マイクを用いて、利用者の本人認識や、ＴＶ電話等の双方向通信を行うことができる。また、タッチパネル方式のディスプレイを用いて、情報の選択等の操作をすることができる。
【００１７】
ローカル設置機器としては、飲料自動販売機、たばこ自動販売機、食品自動販売機、アイス自動販売機、３分間写真機、看板、コインロッカー、たばこ吸煙機、バス停、店舗内テーブル、店舗案内板、電話ボックス、切符販売機、雑誌販売機、コインランドリー、コインパーキング、キャッシュディスペンサー、ベンチ等の人が集まる場所に設置されるあらゆる媒体を対象にすることができる。
【００１８】
また、本発明は、ローカル設置機器に付設され、通信機能と、ＣＣＤカメラおよびマイクロフォンからの画像および音声をディジタル化して伝送すると共に、前記通信機能を介して配信された画像情報、音声情報を出力するディスプレイとスピーカーとを備えた、情報配信システムに使用するコンピュータである。
【００１９】
【発明の実施の形態】
以下、本発明の実施の形態を図面を用いて説明する。
図１は本発明の実施形態の概念図である。本実施形態では、ローカル設置機器としては、自動販売機１０と３分間写真機１１を例に挙げている。自動販売機１０および３分間写真機１１には、それぞれ光ファイバ通信網の端末機としての防水・耐候形パソコン２０が付設されている。各パソコン２０には、ディスプレイ２１、ＣＣＤカメラ２２、マイクロフォン２３、スピーカー（図示せず）が周辺機器として接続されている。３分間写真機１１に付設するＣＣＤカメラ２２は、証明写真撮影用のカメラを兼用することもでき、付属のプリンタ２４は証明写真プリントのほか、配信された情報をプリントアウトすることが可能である。ＣＣＤカメラ２２のモニターとしてのディスプレイ２１は、カメラ機能以外に、ＴＶ電話機能を持たせることができる。
【００２０】
自動販売機１０、３分間写真機１１に付設されたパソコン２０はそれぞれ光ファイバー通信網を介してブロードバンド光通信サービス提供機関３０に接続され、さらにプロバイダーのホストサーバ４０との通信が可能となっている。情報配信サービスを行うデータサービスセンター５０は、データセンター５１とのデータの収集と送信を行い、要求された情報を光ファイバー通信網を介して自動販売機１０、３分間写真機１１等のローカル設置機器に配信する。
【００２１】
以下、情報配信の手順について説明する。
自動販売機１０等のローカル設置機器のディスプレイ２１やスピーカー（図示せず）には、通常はクライアント５２からの広告配信の依頼に基づき、データサービスセンター５０から広告情報を流しておく。
【００２２】
利用者１が自動販売機１０の近くに来て、自動販売機１０に表示されている電話番号に携帯電話を用いて電話を掛けると、データサービスセンター５０のオペレータが自動販売機１０に表示されているグローバルＩＰコードを言うように案内を出す。ＩＰコードを伝えると、オペレータは光ファイバー通信網を介して当該自動販売機１０のＣＣＤカメラ２２に映っている利用者を確認する。あるいは、マイクロフォン２３にスイッチを設けておき、そのスイッチを押したときにデータサービスセンター５０に連結し、スイッチから発する信号の中にＩＰコードを含ませておくことで、自動的に自動販売機１０の場所を判別することもできる。
【００２３】
携帯電話またはマイクロフォン２３から欲しい情報を聞いた後、オペレータはコンピュータを利用してデータセンター５１に蓄積されている情報を検索し、その情報を光ファイバー通信網を介して当該自動販売機１０のディスプレイ２１、スピーカーに配信する。情報配信サービスの手数料は、携帯電話の通話料から引き落としするか、本人の契約時のＩＤコードを入力してもらうことで、クレジットカードからの引き落としも可能である。その他の精算方法としては、ローカル設置機器の料金投入口に投入した紙幣、貨幣からの差し引き、あるいは、プリペイドカードからの引き落とし等がある。
【００２４】
欲しい情報の指示方法としては、ディスプレイ２１をタッチパネル式にして、メニューの中から選ぶこともできるし、携帯電話のディスプレイに表示されたメニューの中から選んで、最終情報を自動販売機１０のディスプレイに詳細表示することも可能である。
【００２５】
携帯電話を使わない認識方法として、ローカル設置機器に備え付けられたマイクロフォン２３に向かってＩＰコードを言うと、データサービスセンター５０のコンピュータは音声認識で登録者名簿から本人を検索し、ＣＣＤカメラ２２によって顔を識別する。顔とＩＰコードによってコンピュータが登録者本人と判断した場合、コンピュータは次に欲しい情報を登録者から発せられた音声で認識し、情報を検索してローカル設置機器のパソコン２０へ情報を配信する。
【００２６】
また、ローカル設置機器に内蔵されたＣＣＤカメラ２２によってデータサービスセンター５０のモニターに映し出される周囲の状況は、携帯電話への連動によって見ることができる。登録した利用者は、各モニターＩＰコードを知り、そこへ直接アクセスして周囲を伺い知ることができる。
【００２７】
以上、一部の用途について述べたが、本発明は様々な機能を持ち合わせたパソコン端末であり、元来インドアとしての用途しか考えられなかったパソコンを、アウトドア用に適したものとして開発されたものであるから、その用途は未知数である。
【００２８】
【発明の効果】
以上述べたように、本発明によれば、少なくともディスプレイ、スピーカーおよびカメラを備えたローカル設置機器と、前記ローカル設置機器と公衆回線網、特定回線網、あるいは無線通信網等の情報通信網で信号の送受信を行うデータセンターと、利用者が携帯する携帯電話機や携帯情報端末機等の端末機と、前記端末機のインターネット接続機能あるいは前記携帯電話機の通話機能を利用して情報配信依頼された情報を検索して前記データセンターから、前記ローカル設置機器のディスプレイ、スピーカーに対して配信する手段と、提供した情報に対する費用を課金する課金手段とを備えた情報配信システムとしたことにより、携帯電話や携帯端末等の携帯機器を入力機器とし、各所に散在する自動販売機を始め、各種用途のローカル設置機器を、あたかも利用者の出力機器のように利用して、欲しい情報をローカル設置機器に配信することができる。
これにより、情報を提供したい者、欲しい者が、従来、固定したＰＣ所在地になければできなかった情報配信サービスが、どこでも、いつでも屋外でできるようになったことで、大幅なサービスを誰でも受けることができる。
【図面の簡単な説明】
【図１】本発明の実施形態の概念図である。
【符号の説明】
１　利用者
１０　自動販売機
１１　３分間写真機
２０　防水・耐候形パソコン
２１　ディスプレイ
２２　ＣＣＤカメラ
２３　マイクロフォン
２４　プリンタ
３０　ブロードバンド光通信サービス提供機関
４０　プロバイダーのホストサーバ
５０　データサービスセンター
５１　データセンター
５２　クライアント
【図１】
2004145439.tif 000003